【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
タッチスクリーンを備えた電子装置の文字入力インターフェース提供方法であって、
文字を入力するための単一のキーボードを含む第１キーボードインターフェースを前記タッチスクリーンに表示する動作；前記第１キーボードインターフェースを表示する間に、少なくとも前記電子装置が横モード（ｌａｎｄｓｃａｐｅ  ｍｏｄｅ）である認識に基づいて、文字入力領域及び第２キーボードインターフェースを前記タッチスクリーンに共に表示する動作、前記第２キーボードインターフェースは、第１キーボード及び第２キーボードを含み、前記第１キーボード及び前記第２キーボードのそれぞれは、第１タイプの文字キー及び第２タイプの文字キーを含み、前記第２キーボードは、音声言語（ｓｐｏｋｅｎ  ｌａｎｇｕａｇｅ）に対する文字キーのタイプを選択するための言語選択キーを含む複数の文字タイプ選択キーをさらに含み；
前記第１タイプの文字キー及び前記第２タイプの文字キーを表示する間に、前記タッチスクリーンを通じて、前記第２キーボードの前記複数の文字タイプ選択キーのうち一つに対するユーザのタッチ入力の受信に基づいて、前記第１キーボードの前記第１タイプの文字キーを表示する間に、前記第２キーボードの前記第２タイプの文字キーを第３タイプの文字キーに代替する動作；及び
前記文字入力領域に複数の文字を表示する動作を含み、
前記複数の文字のうち一つは、前記第１タイプの文字キーのうち一つの文字キーによって入力され、前記複数の文字のうち他の一つは、前記第３タイプの文字キーのうち一つの文字キーによって入力され、
前記第１タイプの文字キーは、第１音声言語のためのものであり、前記第２タイプの文字キーは、第２音声言語のためのものであり、前記第１音声言語は、前記第２音声言語と異なることを特徴とする、文字入力インターフェース提供方法。
【請求項２】
前記複数の文字タイプ選択キーは、前記第２キーボードの前記第２タイプの文字キーが前記第３タイプの文字キーに代替後も維持されることを特徴とする、請求項１に記載の文字入力インターフェース提供方法。
【請求項３】
前記文字入力領域及び前記第２キーボードインターフェースを共に表示するように制御する動作は、前記文字入力領域及び前記第２キーボードインターフェースを自動で共に表示する動作を含むことを特徴とする、請求項１に記載の文字入力インターフェース提供方法。
【請求項４】
前記第２タイプの文字キーを表示するための領域は、前記第３タイプの文字キーを表示するための領域と異なることを特徴とする、請求項１に記載の文字入力インターフェース提供方法。
【請求項５】
前記第１キーボード及び前記第２キーボードは、同一方向を向くように横に並んで配置されることを特徴とする、請求項１に記載の文字入力インターフェース提供方法。
【請求項６】
前記文字入力領域に文字を提供する動作をさらに含み、
前記文字は、前記第１タイプの文字キーのうち少なくとも一つの文字キーと、前記第２タイプの文字キーのうち少なくとも一つの文字キーとによって入力されたことを特徴とする、請求項１に記載の文字入力インターフェース提供方法。
【請求項７】
前記タッチスクリーンを通じて受信されたタッチ及び移動入力に基づいて、前記第１キーボード及び前記第２キーボードのうち少なくとも一つの位置を変更する動作をさらに含むことを特徴とする、請求項１に記載の文字入力インターフェース提供方法。
【請求項８】
前記タッチスクリーンを通じて受信された他のタッチ及び移動入力に基づいて、前記タッチスクリーンに、前記第１キーボードの大きさを変更して表示する動作をさらに含むことを特徴とする、請求項１に記載の文字入力インターフェース提供方法。
【請求項９】
電子装置であって、
インストラクションを格納するメモリーと、
プロセッサとを含み、
前記プロセッサは、前記格納されたインストラクションを実行し、
文字を入力するための単一のキーボードを含む第１キーボードインターフェースを前記電子装置のタッチスクリーンに表示するように制御し；
前記第１キーボードインターフェースを表示する間に、少なくとも前記電子装置が横モード（ｌａｎｄｓｃａｐｅ  ｍｏｄｅ）である認識に基づいて、文字入力領域及び第２キーボードインターフェースを前記タッチスクリーンに共に表示するように制御し、前記第２キーボードインターフェースは、第１キーボード及び第２キーボードを含み、前記第１キーボード及び前記第２キーボードのそれぞれは、第１タイプの文字キー及び第２タイプの文字キーを含み、前記第２キーボードは、音声言語（ｓｐｏｋｅｎ  ｌａｎｇｕａｇｅ）に対する文字キーのタイプを選択するための言語選択キーを含む複数の文字タイプ選択キーをさらに含み；
前記第１タイプの文字キー及び前記第２タイプの文字キーを表示する間に、前記タッチスクリーンを通じて、前記第２キーボードの前記複数の文字タイプ選択キーのうち一つに対するユーザのタッチ入力の受信に基づいて、前記第１キーボードの前記第１タイプの文字キーを表示する間に、前記第２キーボードの前記第２タイプの文字キーを第３タイプの文字キーに代替するように制御し；及び
前記文字入力領域に複数の文字を表示するように制御し、
前記複数の文字のうち一つは、前記第１タイプの文字キーのうち一つの文字キーによって入力され、前記複数の文字のうち他の一つは、前記第３タイプの文字キーのうち一つの文字キーによって入力され、
前記第１タイプの文字キーは、第１音声言語のためのものであり、前記第２タイプの文字キーは、第２音声言語のためのものであり、前記第１音声言語は、前記第２音声言語と異なることを特徴とする電子装置。
【請求項１０】
前記プロセッサは、前記格納されたインストラクションを実行し、前記複数の文字タイプ選択キーは、前記第２キーボードの前記第２タイプの文字キーが前記第３タイプの文字キーに代替後も維持するように制御することを特徴とする、請求項９に記載の電子装置。
【請求項１１】
前記文字入力領域及び前記第２キーボードインターフェースを共に表示するように制御することは、前記文字入力領域及び前記第２キーボードインターフェースを自動で共に表示するように制御することを特徴とする、請求項９に記載の電子装置。
【請求項１２】
前記第２タイプの文字キーを表示するための領域は、前記第３タイプの文字キーを表示するための領域と異なることを特徴とする、請求項９に記載の電子装置。
【請求項１３】
前記第１キーボード及び前記第２キーボードは、同一方向を向くように横に並んで配置されることを特徴とする、請求項９に記載の電子装置。
【請求項１４】
前記プロセッサは、前記格納されたインストラクションを実行し、前記文字入力領域に文字を表示するように制御し、
前記文字は、前記第１タイプの文字キーのうち少なくとも一つの文字キーと、前記第２タイプの文字キーのうち少なくとも一つの文字キーとによって入力されたことを特徴とする、請求項９に記載の電子装置。
【請求項１５】
前記プロセッサは、前記格納されたインストラクションを実行し、前記タッチスクリーンを通じて受信されたタッチ及び移動入力に基づいて、前記第１キーボード及び前記第２キーボードのうち少なくとも一つの位置を変更するように制御することを特徴とする、請求項９に記載の電子装置。
【請求項１６】
前記プロセッサは、前記格納されたインストラクションを実行し、前記タッチスクリーンを通じて受信された他のタッチ及び移動入力に基づいて、前記タッチスクリーンに前記第１キーボードの大きさを変更して表示するように制御することを特徴とする、請求項９に記載の電子装置。
【請求項１７】
タッチスクリーンを備える電子装置のプロセッサによって実行可能なインストラクションを含むコンピュータで判読可能な非一時的な記録媒体であって、
前記プロセッサが、
文字を入力するための単一のキーボードを含む第１キーボードインターフェースを前記タッチスクリーンに表示する動作；前記第１キーボードインターフェースを表示する間に、少なくとも前記電子装置が横モード（ｌａｎｄｓｃａｐｅ  ｍｏｄｅ）である認識に基づいて、文字入力領域及び第２キーボードインターフェースを前記タッチスクリーンに共に表示する動作、前記第２キーボードインターフェースは、第１キーボード及び第２キーボードを含み、前記第１キーボード及び前記第２キーボードのそれぞれは、第１タイプの文字キー及び第２タイプの文字キーを含み、前記第２キーボードは、音声言語（ｓｐｏｋｅｎ  ｌａｎｇｕａｇｅ）に対する文字キーのタイプを選択するための言語選択キーを含む複数の文字タイプ選択キーをさらに含み；
前記第１タイプの文字キー及び前記第２タイプの文字キーを表示する間に、前記タッチスクリーンを通じて、前記第２キーボードの前記複数の文字タイプ選択キーのうち一つに対するユーザのタッチ入力の受信に基づいて、前記第１キーボードの前記第１タイプの文字キーを表示する間に、前記第２キーボードの前記第２タイプの文字キーを第３タイプの文字キーに代替する動作；及び
前記文字入力領域に複数の文字を表示する動作を実行するようにし、
前記複数の文字のうち一つは、前記第１タイプの文字キーのうち一つの文字キーによって入力され、前記複数の文字のうち他の一つは、前記第３タイプの文字キーのうち一つの文字キーによって入力され、
前記第１タイプの文字キーは、第１音声言語のためのものであり、前記第２タイプの文字キーは、第２音声言語のためのものであり、前記第１音声言語は、前記第２音声言語と異なることを特徴とする記録媒体。
【請求項１８】
前記複数の文字タイプ選択キーは、前記第２キーボードの前記第２タイプの文字キーが前記第３タイプの文字キーに代替後も維持されることを特徴とする、請求項１７に記載の記録媒体。
【請求項１９】
前記文字入力領域及び前記第２キーボードインターフェースを共に表示する動作は、前記文字入力領域及び前記第２キーボードインターフェースを自動で共に表示する動作を含むことを特徴とする、請求項１７に記載の記録媒体。
【請求項２０】
前記第２タイプの文字キーを表示するための領域は、前記第３タイプの文字キーを表示するための領域と異なることを特徴とする、請求項１７に記載の記録媒体。
【請求項２１】
前記第１キーボード及び前記第２キーボードは、同一方向を向くように横に並んで配置されることを特徴とする、請求項１７に記載の記録媒体。
【請求項２２】
前記プロセッサが、前記文字入力領域に文字を表示する動作をさらに実行するようにし、
前記文字は、前記第１タイプの文字キーのうち少なくとも一つの文字キーと、前記第２タイプの文字キーのうち少なくとも一つの文字キーとによって入力されたことを特徴とする、請求項１７に記載の記録媒体。
【請求項２３】
前記プロセッサが、前記タッチスクリーンを通じて受信されたタッチ及び移動入力に基づいて、前記第１キーボード及び前記第２キーボードのうち少なくとも一つの位置を変更する動作をさらに実行するようにすることを特徴とする、請求項１７に記載の記録媒体。
【請求項２４】
前記プロセッサが、前記タッチスクリーンを通じて受信された他のタッチ及び移動入力に基づいて、前記タッチスクリーンに、前記第１キーボードの大きさを変更して表示する動作をさらに実行するようにすることを特徴とする、請求項１７に記載の記録媒体。
【請求項２５】
タッチスクリーンを備える電子装置の文字入力インターフェース提供方法であって、
文字を入力するための単一のキーボードを含む第１キーボードインターフェースを前記タッチスクリーンに表示するように制御する動作；
前記第１キーボードインターフェースを表示する間に、少なくとも前記電子装置が横モード（ｌａｎｄｓｃａｐｅ  ｍｏｄｅ）である認識に基づいて、文字入力領域及び第２キーボードインターフェースを前記タッチスクリーンに共に表示するように制御する動作、前記第２キーボードインターフェースは、第１キーボード及び第２キーボードを含み、前記第１キーボード及び前記第２キーボードのそれぞれは、第１タイプの文字キー及び第２タイプの文字キーを含み、前記第２キーボードは、音声言語（ｓｐｏｋｅｎ  ｌａｎｇｕａｇｅ）に対する文字キーのタイプを選択するための言語選択キーを含む複数の文字タイプ選択キーをさらに含み；
前記第１タイプの文字キー及び前記第２タイプの文字キーを表示する間に、前記タッチスクリーンを通じて、前記第２キーボードの前記複数の文字タイプ選択キーのうち一つに対するユーザのタッチ入力の受信に基づいて、前記第１キーボードの前記第１タイプの文字キーを表示する間に、前記第２キーボードの前記第２タイプの文字キーを第３タイプの文字キーに代替するように制御する動作；及び
前記文字入力領域に複数の文字を表示するように制御する動作を含み、
前記複数の文字のうち一つは、前記第１タイプの文字キーのうち一つの文字キーによって入力され、前記複数の文字のうち他の一つは、前記第３タイプの文字キーのうち一つの文字キーによって入力され、
前記第１タイプの文字キーは、第１音声言語のためのものであり、前記第２タイプの文字キーは、第２音声言語のためのものであり、前記第１音声言語は、前記第２音声言語と異なることを特徴とする文字入力インターフェース提供方法。
【請求項２６】
前記複数の文字タイプ選択キーは、前記第２キーボードの前記第２タイプの文字キーが前記第３タイプの文字キーに代替後も維持されることを特徴とする、請求項２５に記載の文字入力インターフェース提供方法。
【請求項２７】
前記文字入力領域及び前記第２キーボードインターフェースを共に表示するように制御する動作は、前記文字入力領域及び前記第２キーボードインターフェースを自動で共に表示するように制御する動作を含むことを特徴とする、請求項２５に記載の文字入力インターフェース提供方法。
【請求項２８】
前記第２タイプの文字キーを表示するための領域は、前記第３タイプの文字キーを表示するための領域と異なることを特徴とする、請求項２５に記載の文字入力インターフェース提供方法。
【請求項２９】
前記第１キーボード及び前記第２キーボードは、同一方向を向くように横に並んで配置されることを特徴とする、請求項２５に記載の文字入力インターフェース提供方法。
【請求項３０】
前記文字入力領域に文字を表示するように制御する動作をさらに含み、
前記文字は、前記第１タイプの文字キーのうち少なくとも一つの文字キーと、前記第２タイプの文字キーのうち少なくとも一つの文字キーとによって入力されたことを特徴とする、請求項２５に記載の文字入力インターフェース提供方法。
【請求項３１】
前記第１キーボード及び前記第２キーボードのうち、少なくとも一つの位置は、前記タッチスクリーンを通じて受信されたタッチ及び移動入力に基づいて変更されることを特徴とする、請求項２５に記載の文字入力インターフェース提供方法。
【請求項３２】
前記タッチスクリーンを通じて受信された他のタッチ及び移動入力に基づいて、前記タッチスクリーンに、前記第１キーボードを変更された大きさで表示するように制御する動作をさらに含むことを特徴とする、請求項２５に記載の文字入力インターフェース提供方法。